(57)【要約】      （修正有）【課題】ＵＳＢメモリーサイドスライド構造を提供する。【解決手段】ＵＳＢメモリーサイドスライド構造は、ケーシング１、メモリー部材及びスライドカバー部材を含む。ケーシングは互いに対応した両表面１１を有し、一方の表面に第１の開口１１１が、他方の表面に第２の開口が設けられる。ケーシングに、互いに接合した第１のケーシング１０１と第２のケーシング１０２とが含まれる。第１のケーシングと第２のケーシングとの間に収容空間が形成される。第１の開口及び第２の開口はそれぞれ収容空間と連通する。第１のケーシングは対応的な両長辺１０１１、１０１２を有し、かつ、第１のケーシングに長尺状貫通孔１０４が設けられ、長尺状貫通孔は一方の長辺寄りに位置すると共に、収容空間と連通する。メモリー部材とスライドカバー部材は収容空間に配置される。スライドカバー部材がメモリー部材の上方に位置すると共に、メモリー部材と係合される。【選択図】図１
0003233662.tif 000002
【実用新案登録請求の範囲】
【請求項１】
対応的な両表面を有し、一方の前記表面に第１の開口が配置され、他方の前記表面に第２の開口が配置され、互いに接合した第１のケーシング及び第２のケーシングを含み、前記第１のケーシングと前記第２のケーシングとの間に収容空間が形成され、前記第１の開口と前記第２の開口とがそれぞれ前記収容空間と連通し、前記第１のケーシングに、対応的な両長辺における一方の長辺寄りに長尺状貫通孔が設けられると共に、前記長尺状貫通孔が前記収容空間と連通する、ケーシングと、
前記収容空間に配置されるメモリー部材と、
前記収容空間に、前記メモリー部材の上方に位置するように配置されると共に、前記メモリー部材と係合し、前記長尺状貫通孔に挿設されると共に一部が前記第１のケーシングに露出するスライダーを含む、スライドカバー部材と、
を具備する、ことを特徴とするＵＳＢメモリーサイドスライド構造。
【請求項２】
前記第１のケーシングの底部に複数のストップ溝が配置され、複数の前記ストップ溝は対応的に前記長尺状貫通孔の両側に配置される、請求項１に記載のＵＳＢメモリーサイドスライド構造。
【請求項３】
前記スライドカバー部材はさらに複数のストッパーを含み、複数の前記ストッパーは対応的に前記スライダーの両側に配置される、請求項１に記載のＵＳＢメモリーサイドスライド構造。
【請求項４】
前記メモリー部材は対応的な両側辺を有し、前記側辺のそれぞれに第１の係合部及び第２の係合部が配置され、かつ、前記メモリー部材は、回路基板及び伝送インタフェースを含み、前記回路基板が前記伝送インタフェースに電気的に接続される、請求項３に記載のＵＳＢメモリーサイドスライド構造。
【請求項５】
前記第１の係合部はスロットであり、前記第２の係合部は  スナップジョイントである、請求項４に記載のＵＳＢメモリーサイドスライド構造。
【請求項６】
前記スライドカバー部材はさらに、第１のプレート面、第２のプレート面、第３のプレート面及び第４のプレート面を含み、前記第２のプレート面と前記第３のプレート面は前記第１のプレート面の対応的な両側から立ち上がるように配置され、前記第４のプレート面は、前記第１のプレート面における他方側から立ち上がるように配置され、かつ、前記第４のプレート面は前記第２のプレート面と前記第３のプレート面に連接され、前記スライドカバー部材はさらに２つの第３の係合部及び２つの第４の係合部を有し、一方の前記第３の係合部と一方の前記第４の係合部が前記第１のプレート面と前記第２のプレート面との接続箇所に配置され、他方の前記第３の係合部と他方の前記第４の係合部が、前記第１のプレート面と前記第３のプレート面との接続箇所に配置される、請求項５に記載のＵＳＢメモリーサイドスライド構造。
【請求項７】
前記第３の係合部は  スナップジョイントであり、前記第４の係合部はスロットである、請求項６に記載のＵＳＢメモリーサイドスライド構造。
【請求項８】
前記第１の係合部は前記第３の係合部と対応し、前記第２の係合部は前記第４の係合部と対応する、請求項７に記載のＵＳＢメモリーサイドスライド構造。
【請求項９】
前記スライドカバー部材はさらに２つの長尺状溝を含み、２つの前記長尺状溝は前記第１のプレート面に設けられ、それぞれ前記スライダーの両側に配置され、かつ、前記長尺状溝は前記ストッパーと隣り合って配置される、請求項６に記載のＵＳＢメモリーサイドスライド構造。
【請求項１０】
前記スライドカバー部材はさらに把持部を含み、前記把持部が前記第４のプレート面に配置され、前記第２の開口に露出する、請求項６に記載のＵＳＢメモリーサイドスライド構造。
【考案の詳細な説明】
【技術分野】
【０００１】
本考案はＵＳＢメモリー構造に関し、特にＵＳＢメモリーサイドスライド構造に関する。
【背景技術】
【０００２】
既存の技術では、ＵＳＢメモリーに装着されるスライダーの押し部は中央位置に配置され、外観に対しデザインなどを行う場合制限が大きいため、呈し得る視覚効果も限っている結果、斬新なデザインが加えにくくて、消費者に与える体験も上がりにくい。
【０００３】
そのため、構造設計を改善し、製品の新規性を強化し、消費者体験を向上させることで、上記の欠陥をいかに克服するかが、ビジネス上の重要な課題の１つとなっている。
【考案の概要】
【考案が解決しようとする課題】
【０００４】
本考案が解決しようとする課題では、既存の技術に対し次のようなＵＳＢメモリーサイドスライド構造を提供する。
【課題を解決するための手段】
【０００５】
ＵＳＢメモリーサイドスライドは、ケーシング、メモリー部材及びスライドカバー部材を含む。ケーシングは対応的な両表面を有し、一方の表面に第１の開口が、他方の表面に第２の開口が配置される。ケーシングは、互いに接合される第１のケーシングと第２のケーシングを有し、第１のケーシングと第２のケーシングとの間に収容空間が形成される。第１の開口及び第２の開口はそれぞれ収容空間と連通する。第１のケーシングは対応的な両長辺を有する。第１のケーシングに、一方の長辺寄りの位置に長尺状貫通孔が設けられ、収容空間と連通される。メモリー部材とスライドカバー部材はいずれも収容空間に配置される。スライドカバー部材はメモリー部材の上方に位置し、メモリー部材と係合する。スライドカバー部材はスライダーを含み、スライダーは、長尺状貫通孔に挿設すると共に第１のケーシングに露出する。
【考案の効果】
【０００６】
本考案に係る有益な効果の１つとして、本考案に適用されるＵＳＢメモリーサイドスライド構造は、「メモリー部材とスライドカバー部材とのいずれも収容空間に配置される」、及び「スライドカバー部材は、スライダーを含み、スライダーが長尺状貫通孔に挿設すると共に第１のケーシングから露出する」という技術的手段によって、ＵＳＢメモリーサイドスライド構造の構成を改善することによって、斬新な製品外観を提供できるようになる。
【図面の簡単な説明】
【０００７】
【図１】本考案に係るＵＳＢメモリーサイドスライド構造を示す模式図その１である。
【図２】本考案に係るＵＳＢメモリーサイドスライド構造を示す模式図その２である。
【図３】本考案に係るＵＳＢメモリーサイドスライド構造を示す分解模式図である。
【図４】本考案に係るＵＳＢメモリーサイドスライド構造の第１のケーシングを示す模式図である。
【図５】本考案に係るＵＳＢメモリーサイドスライド構造のスライドカバー部材を示す模式図である。
【図６】本考案に係るＵＳＢメモリーサイドスライド構造のメモリー部材を示す模式図である。
【図７】本考案に係るＵＳＢメモリーサイドスライド構造のスライドカバー部材及びメモリー部材を示す模式図その１である。
【図８】本考案に係るＵＳＢメモリーサイドスライド構造のスライドカバー部材及びメモリー部材を示す模式図その２である。
【考案を実施するための形態】
【０００８】
本考案を図示の実施例に基づいて詳細に説明する。
【実施例１】
【０００９】
本考案の特徴及び技術内容がより一層分かるように、以下本考案に関する詳細な説明と添付図面を参照する。しかし、提供される添付図面は参考と説明のために提供するものに過ぎず、本考案の登録請求の範囲を制限するためのものではない。
【００１０】
図１〜図３に示すように、図１及び図２は、本考案に係るＵＳＢメモリーサイドスライド構造の異なる視点から見る模式図である。図３は、本考案に係るＵＳＢメモリーサイドスライド構造を示す分解模式図である。本考案は、ケーシング１、メモリー部材２及びスライドカバー部材３を含むＵＳＢメモリーサイドスライド構造Ｗを提供する。
【００１１】
図１及び図２に示すように、ケーシング１は互いに対応的な両表面１１、１２を有する。ケーシング１における一方の表面１１に第１の開口１１１が配置され、ケーシング１における他方の表面１２に第２の開口１２１が配置される。第１のケーシング１０１は対応的な両長辺１０１１、１０１２を有し、かつ、第１のケーシング１０１に長尺状貫通孔１０４が設けられる。長尺状貫通孔１０４は一方の長辺１０１１寄りに位置する。そのため、平面視から見ると、長尺状貫通孔１０４は第１のケーシング１０１の中央ではなく、第１のケーシング１０１の側辺寄りに配置される。
【００１２】
図１及び図３に示すように、ケーシング１は互いに接合した第１のケーシング１０１と第２のケーシング１０２を含む。第１のケーシング１０１と第２のケーシング１０２との間に収容空間１０３が形成される。メモリー部材２とスライドカバー部材３とはいずれも収容空間１０３に配置される。第１の開口１１１及び第２の開口１２１はそれぞれ収容空間１０３と連通され、長尺状貫通孔１０４も収容空間１０３と連通される。
【００１３】
さらに言えば、メモリー部材２とスライドカバー部材３とが収容空間１０３に配置される場合、スライドカバー部材３はメモリー部材２の上方に位置し、かつメモリー部材２と係合する。スライドカバー部材３はスライダー４を含む。スライダー４は長尺状貫通孔１０４を挿設すると共に、第１のケーシング１０１から露出する。スライダー４は長尺状貫通孔１０４に沿って往復移動し得る。即ち、ユーザはスライダー４を移動させることによって、スライダー４を長尺状貫通孔１０４に従って往復移動させる。このように、スライドカバー部材３をメモリー部材２と一緒に駆動させることができる。
【００１４】
第１のケーシング１０１の底部に複数のストップ溝１０１３が設けられ、複数のストップ溝１０１３は長尺状貫通孔１０４の両側に対応的に配置される。図４に示すように、具体的に、第１のケーシング１０１の底部に４つのストップ溝１０１３が長尺状貫通孔１０４の両側に対応的に配置される。長尺状貫通孔１０４の両側のいずれか一方側に配置される２つのストップ溝１０１３は、長尺状貫通孔１０４に沿って配置されてもよい。そして、図７に示すように、図７は、スライドカバー部材３の上面側を示す。スライドカバー部材３はさらに複数のストッパー３０を含み、複数のストッパー３０は、スライダー４の両側に対応的に配置されると共に、スライダー４のいずれか一方側に、ストッパー３０はスライダー４の中央に配置される。ユーザはスライダー４を移動させることによって、スライドカバー部材３をメモリー部材２に連れて往復移動させる。この場合、ストップ溝１０１３とストッパー３０はスライドカバー部材３の仮固定機構とされる。これについては後述で説明する。
【００１５】
図５を参照されたい。図５は、スライドカバー部材３の底面を示す。スライドカバー部材３はさらに第１のプレート面３１、第２のプレート面３２、第３のプレート面３３及び第４のプレート面３４を含む。第２のプレート面３２と第３のプレート面３３とは第１のプレート面３１における対応的な両側に垂直的に立ち上がるように配置される。第４のプレート面３４は第１のプレート面３１の他方側に垂直的に立ち上がるように配置される。かつ、第４のプレート面３４は、第２のプレート面３２及び第３のプレート面３３と互いに連接される。そして、図６を参照されたい。メモリー部材２は、回路基板２１及び伝送インタフェース２２を含み、回路基板２１が伝送インタフェース２２に電気的に接続される。
【００１６】
さらに、図５、図６及び図７を参照されたい。図７は、スライドカバー部材３がメモリー部材２に係合される実施形態である。メモリー部材２は対応的な両側辺２０１、２０２を有し、側辺のそれぞれに第１の係合部２３及び第２の係合部２４が配置される。即ち、側辺２０１に、一方の第１の係合部２３及び第２の係合部２４が配置され、側辺２０２に他方の第１の係合部２３及び第２の係合部２４が配置される。スライドカバー部材３はさらに２つの第３の係合部３５及び２つの第４の係合部３６を含む。一方の第３の係合部３５と一方の第４の係合部３６は、第１のプレート面３１と第２のプレート面３２との接続箇所に配置され、他方の第３の係合部３５と他方の第４の係合部３６とは、第１のプレート面３１と第３のプレート面３３との接続箇所（図５は、第１のプレート面３１と第２のプレート面３２との接続箇所に配置される第３の係合部３５及び第４の係合部３６のみが示される）。
【００１７】
図８を参照されたい。図８は、他方の視点から見るスライドカバー部材３がメモリー部材２に係合する態様を示す。第１の係合部２３が第３の係合部３５に対応し、第２の係合部２４が第４の係合部３６に対応する。例えば、第１の係合部２３はスロットであり、第２の係合部２４はスナップジョイントである。第３の係合部３５はスナップジョイントであり、第４の係合部３６はスロットである。なお、上記の例は実施可能な実施形態の１つであり、本考案を制限する意図はない。スライドカバー部材３がメモリー部材２に係合する場合、スライドカバー部材３における第３の係合部３５（スナップジョイント）は、メモリー部材２における第１の係合部２３（スロット）に係合し、スライドカバー部材３における第４の係合部３６（スロット）は、メモリー部材２における第２の係合部２４（スナップジョイント）に係合される。このように、スライドカバー部材３が移動すると、メモリー部材２はそれに連れて移動される。
【００１８】
再度図１、図２及び図７を参照されたい。メモリー部材２がスライドカバー部材３に係合して、かつケーシング１の収容空間１０３に配置される時、メモリー部材２における伝送インタフェース２２は、ケーシング１の第１の開口１１１に向かって第１の開口１１１に当接するように構成される。そのため、ユーザは、スライダー４を移動させることによって、スライドカバー部材３をメモリー部材２と一緒に第１の開口１１１へ移動させる。このように、メモリー部材２の伝送インタフェース２２は第１の開口１１１から伸び出される。また、スライドカバー部材３はさらに把持部３７を含み、把持部３７は、第４のプレート面３４に配置されると共に、第２の開口１２１に露出される。例えば、ユーザは把持部３７が第２の開口１２１に露出する構成によって、ＵＳＢメモリーサイドスライド構造Ｗを様々な箇所に吊り下げたり、取り付けたりすることができる。
【００１９】
さらに、上述した仮固定の仕組みを説明する。再度図３及び図４を参照されたい。ユーザがスライダー４を移動させることによって、メモリー部材２に記憶される伝送インタフェース２２を第１の開口１１１から所定の長さを伸ばせると、スライドカバー部材３のスライダー４の両側に位置するストッパー３０は、第１のケーシング１０１の両側に位置するストップ溝１０１３のうちの対応的な２つのストップ溝１０１３に係合されることによって、伝送インタフェース２２が第１の開口１１１から伸び出された状態を仮に維持する。一方、ユーザがスライダー４を移動させることによって、第１の開口１１１から伸び出された伝送インタフェース２２をケーシング１内部に押し返す時、スライドカバー部材３のストッパー３０は、前記ストップ溝１０１３から外され、さらにスライダー４の移動に伴って第１のケーシング１０１の両側における別の２つのストップ溝１０１３に係合されるようになり、このように、伝送インタフェース２２が第１の開口１１１からケーシング１の内部に縮まれた状態を仮に維持する。
【００２０】
再度、図３及び図５を参照されたい。スライドカバー部材３はさらに２つの長尺状溝３８を含み、２つの長尺状溝３８は第１のプレート面３１に配置され、２つの長尺状溝３８はそれぞれスライダー４の両側に位置されると共に、長尺状溝３８はストッパー３０と隣り合って配置される。具体的に、２つのストッパー３０の間に、スライダー４が介設され、そして、２つの長尺状溝３８の間に２つのストッパー３０及びスライダー４が介設されるように構成される。ユーザがスライダー４を移動しようとする場合、まず伝送インタフェース２２が第１の開口１１１からケーシング１内部に縮まれた仮固定状態、或いは伝送インタフェース２２が第１の開口１１１から伸び出された仮固定状態を解除しておかなければならない。仮固定状態を解除するとは、ストッパー３０をストップ溝１０１３から脱出させることを言う。そのため、長尺状溝３８を配置することによって、スライダーを移動しようとする時、ストッパー３０を押し下げストップ溝１０１３から脱出させてから、横後方に力を入れてスライダーを移動させることができる。言い換えれば、第１のプレート面３１における長尺状溝３８の間の領域ではデザインを施す柔軟性が十分にあるとなっている。
［実施形態による有益な効果］
【００２１】
本考案に係る有益な効果の１つとして、本考案に適用されるＵＳＢメモリーサイドスライド構造Ｗは、「メモリー部材２とスライドカバー部材３とのいずれも収容空間１０３に配置される」、及び「スライドカバー部材３は、スライダー４を含み、スライダー４が長尺状貫通孔１０４に挿設すると共に第１のケーシング１０１から露出する」という技術的手段によって、ＵＳＢメモリーサイドスライド構造の構成を改善することによって、斬新な製品外観を提供できるようになる。
【００２２】
以上に開示される内容は本考案の好ましい実施可能な実施例に過ぎず、これにより本考案の実用新案登録請求の範囲を制限するものではないので、本考案の明細書及び添付図面の内容に基づき為された等価の技術変形は、全て本考案の登録請求の範囲に含まれるものとする。
【符号の説明】
【００２３】
Ｗ：  ＵＳＢメモリーサイドスライド構造
１：ケーシング
１０１：第１のケーシング
１０１１、１０１２：長辺
１０１３：ストップ溝
１０２：第２のケーシング
１０３：収容空間
１０４：長尺状貫通孔
１１：ケーシング表面
１１１：第１の開口
１２：ケーシング表面
１２１：第２の開口
２：メモリー部材
２０１：側辺
２０２：側辺
２１：回路基板
２２：伝送インタフェース
２３：第１の係合部
２４：第２の係合部
３：スライドカバー部材
３０：ストッパー
３１：第１のプレート面
３２：第２のプレート面
３３：第３のプレート面
３４：第４のプレート面
３５：第３の係合部
３６：第４の係合部
３７：把持部
３８：長尺状溝
４：スライダー
【図１】
0003233662.tif 000003
【図２】
0003233662.tif 000004
【図３】
0003233662.tif 000005
【図４】
0003233662.tif 000006
【図５】
0003233662.tif 000007
【図６】
0003233662.tif 000008
【図７】
0003233662.tif 000009
【図８】
0003233662.tif 000010